(57)【要約】【課題】従来のオーディオ機器で、ディスク毎にディスク名やタイトル、音響効果情報を記憶する機器があった。ただし、記録型のディスクではなく、コンパクトディスクのような再生専用ディスクであり、ディスク毎の情報は、オーディオ機器内部の不揮発性メモリに記録することにより実現していた。このような場合、情報を記憶できる数は、不揮発性メモリの容量により、制限されるという問題点があった。【解決手段】装置外部から順次入力されてくる映像信号および音声信号をエンコードすることにより、ビデオオブジェクトを得るエンコード手段と、音響効果情報を管理する管理情報を番組毎に対応づけて光ディスクに記録する記録手段と、光ディスクに記録されたビデオオブジェクトをビデオ映像に変換するデコード手段と、番組毎に付与された音響効果情報を音響効果付加装置に設定する手段を備えることを特徴とした記録再生装置。【選択図】図１
2006164467.tif 000002
【特許請求の範囲】
【請求項１】
ユーザ操作により、音響効果を設定することが可能な操作ステップと、前記操作ステップで設定された音響効果情報を録画管理情報に設定する制御ステップと、前記制御ステップから指示を受け記録媒体に音響効果情報を記録する書き込みステップを有することを特徴とする情報記録方法。
【請求項２】
前記制御ステップから指示を受け、音響効果を付加する音響効果付加ステップを有することを特徴とする、請求項１記載の情報記録方法。
【請求項３】
前記書き込みステップは、音響効果情報を番組単位で記録することを特徴とする、請求項１記載の情報記録方法。
【請求項４】
音響効果を設定するためのメニュー画面を表示するステップをさらに有することを特徴とする、請求項１記載の情報記録方法。
【請求項５】
前記記憶媒体はＤＶＤ−ＲＡＭであることを特徴とする、請求項１記載の情報記録方法。
【請求項６】
前記記録媒体はＨＤＤであることを特徴とする、請求項１記載の情報記録方法。
【請求項７】
請求項１から請求項４のいずれかの請求項に記載の記録方法で記録することを特徴とする情報記録装置。
【請求項８】
請求項１から請求項４のいずれかの請求項に記載の記録方法で記録された記憶媒体から、音響効果情報を読み出す読み取りステップと、前記読み取りステップで読み出した音響効果情報を再生管理情報に設定する制御ステップと、前記制御ステップから指示を受け、音響効果情報を番組単位で付加する音響効果付加ステップとを有することを特徴とする情報再生方法。
【請求項９】
音響効果を設定するためのメニュー画面を表示するステップをさらに有することを特徴とする、請求項８記載の情報再生方法。
【請求項１０】
請求項８または請求項９に記載の再生方法で再生することを特徴とする情報再生装置。
【発明の詳細な説明】
【技術分野】
【０００１】
本発明は、動画像データを含むビデオオブジェクトと、ビデオオブジェクトの管理情報とを光ディスクに記録する記録方法及び装置、当該光ディスクについての再生方法及び装置に関する。
【背景技術】
【０００２】
近年、５．１ＣＨアンプとＤＶＤレコーダを組み合わせたホームシアター機器の需要が高まってきている。ホームシアター機器の特徴の一つは、複数のスピーカを使用して様々な音響効果を付加し、サラウンド効果を体感できることである。しかし、従来のホームシアター機器は、単に音響効果装置とアンプとＤＶＤレコーダを組み合わせただけの構成となっており、組み合わせによる発展的な利用法がされていなかった。
【０００３】
また、音響効果装置においては、ユーザが設定できる音響効果の種類が増え、音響効果を設定することが煩雑になっている。そのような背景において、録画した番組毎に、音響効果をつけ、簡単に利用したいという要望が高まってきている。例えば、カラオケなどでも音響効果の設定を行う方法が提案されているが(例えば、特許文献１、２参照)、サービス側がお勧めの設定を提供することにとどまっている。
【特許文献１】特開平１１−５２９６９号公報
【特許文献２】特開平１１−５２９７０号公報
【発明の開示】
【発明が解決しようとする課題】
【０００４】
従来のオーディオ機器で、ディスク毎にディスク名やタイトル、音響効果情報を記憶する機器があった。ただし、記録型のディスクではなく、コンパクトディスクのような再生専用ディスクであり、ディスク毎の情報は、オーディオ機器内部の不揮発性メモリに記録することにより実現していた。
【０００５】
また、記憶した情報の読み出しには、ディスクのＴＯＣ（Ｔａｂｌｅ  Ｏｆ  Ｃｏｎｔｅｎｔｓ）を基に、対応する情報を読み出していた。このような場合、情報を記憶できる数は、不揮発性メモリの容量により、制限されるという問題点があった。
【０００６】
コンパクトディスクに記録されているような音楽の場合であれば、曲ごとに音響効果を変更する必要性があまり問われなかったが、ＤＶＤ−ＲＡＭのように映像も記録できるディスクの場合、再生時に番組が変っても音響効果が同じ場合、ユーザは不自然な音響効果を強いられるという問題がある。
【０００７】
本発明の目的は、番組毎に音響効果を設定できる利便性をユーザに提供しつつ、音響効果等の番組毎の情報を書き換え可能なディスクの上に記録することにより、ユーザが番組毎に適切な音響効果が得られることが可能となる記録再生装置を提供することを目的とする。
【課題を解決するための手段】
【０００８】
上記目的は、装置外部から順次入力されてくる映像信号および音声信号をエンコードすることにより、ビデオオブジェクトを得るエンコード手段と、音響効果情報を管理する管理情報を番組毎に対応づけて光ディスクに記録する記録手段と、光ディスクに記録されたビデオオブジェクトをビデオ映像に変換するデコード手段と、番組毎に付与された音響効果情報を音響効果付加装置に設定する手段を備えることを特徴とした記録再生装置により達成される。
【０００９】
また、音響効果情報を管理する方式に汎用的な方法を利用しており、記録した機器と違う機器で再生を行う場合にも同じように音響効果を得ることができることも特徴となっている。
【発明の効果】
【００１０】
本発明の記録再生装置は、記録媒体上に音響効果情報を記録することにより、操作者が番組毎に音響効果を変更しなくても、過去に設定した適切な音響効果を得ることができるという利点がある。
【発明を実施するための最良の形態】
【００１１】
以降、相変化型光ディスクについての記録装置、再生装置の実施形態として、ＤＶＤ−ＲＡＭとＤＶＤ−ＲＡＭについての記録装置、再生装置の機能と音響効果付加機能を装備したホームシアター装置（以下、ＤＶＤ−ＲＡＭホームシアターと呼ぶ）について説明する。
【００１２】
（実施の形態１）
図２は、記録可能な光ディスクであるＤＶＤ−ＲＡＭディスクの概観を示した図である。本図に示すように、ＤＶＤ−ＲＡＭは、カートリッジ２１に収納された状態、もしくは、ディスク単体の状態で、ＤＶＤホームシアターに装填される。本カートリッジ２１は、ＤＶＤ−ＲＡＭの記録面を保護する目的のものであり、記録、再生時には、シャッター２２を開閉することによりアクセスされる。
【００１３】
図３は、記録可能な光ディスクであるＤＶＤ−ＲＡＭディスクの記録領域を示した図である。同図のように、ＤＶＤ−ＲＡＭは、最内周にリードイン領域を、最外周にリードアウト領域を、その間にデータ領域を配置している。リードイン領域は、光ピックアップのアクセス時においてサーボを安定させるために必要な基準信号や他のメディアとの識別信号などが記録されている。
【００１４】
リードアウト領域もリードイン領域と同様な基準信号などが記録されている。また、データ領域は、ＤＶＤの最小のアクセス単位であるセクタ（２ｋバイトとする）に分割されている。
【００１５】
次にＤＶＤ−ＲＡＭ上の論理構成について説明する。図４は、ファイルシステムを通して識別されるディスク上のデータ構造を示す。データ領域の先頭にはボリューム情報と呼ばれるファイルシステム用の管理情報が記録される。ファイルシステムを通すことで、図４に示すようにディスク内のデータがディレクトリやファイルとして扱うことが可能になる。
【００１６】
ＤＶＤ  Ａｐｐｌｉｃａｔｉｏｎ  Ｆｏｒｍａｔ  ｆｏｒ  ＤＶＤ  Ｒｅｗｒｉｔａｂｌｅ  Ｄｉｓｃｓ  Ｐａｒｔ１  ＶＩＤＥＯ  ＲＥＣＯＲＤＩＮＧ規格ｖｅｒ  １．０（以下、ＶＩＤＥＯ  ＲＥＣＯＲＤＩＮＧ規格と呼ぶ）で規定されている構造は、図４に示すように、ＲＯＯＴディレクトリ直下のＤＶＤ＿ＲＴＡＶ（ＲｅａｌＴｉｍｅＡＶ）ディレクトリ下に置かれ、その下に、少なくとも１つ以上のＡＶファイルが存在する。ＤＶＤ＿ＲＴＡＶディレクトリには、動画を記録するＶＲ＿ＭＯＶＩＥ．ＶＲＯファイルと、管理情報ファイルＶＲ＿ＭＡＮＧＲ．ＩＦＯとが配置されている。
【００１７】
前述のＶＲ＿ＭＯＶＩＥ．ＶＲＯは、複数の放送番組をエンコードすることにより得られた複数のＶＯＢ（ＶｉｄｅｏＯｂｊｅｃｔ）を収録している。図５はＶＲ＿ＭＯＶＩＥ．ＶＲＯの構成を示した図である。
【００１８】
本図において、ＶＲ＿ＭＯＶＩＥ．ＶＲＯは、ＶＯＢ＃１、＃２、＃３‥‥＃Ｍからなる。ＶＯＢは、ビデオストリーム、オーディオストリームを多重化することにより得られたＩＳＯ／ＩＥＣ１３８１８−１規格準拠のプログラムストリームであって、その終端にｐｒｏｇｒａｍ＿ｅｎｄ＿ｃｏｄｅが付与されていないものをいう。ここでＶＯＢに含まれるビデオストリーム、オーディオストリームは、放送の映像信号、音声信号をエンコードしたものであり、故に、各ＶＯＢは、放送番組を構成しているといえる。
【００１９】
たとえば、放送番組Ａが３０分長のアニメーション番組、放送番組Ｂが１２０分長の野球番組、放送番組Ｃが６０分長の音楽番組とからなる場合は、３０分長のＶＯＢ＃１、１２０分長のＶＯＢ＃２、６０分長のＶＯＢ＃３が収録されていることとなる。
【００２０】
ビデオストリームの構成を図６に示す。図６に示すビデオストリームは、一フレーム分の画像に対応するピクチャデータを複数配してなる。ピクチャデータは、ＮＴＳＣ方式、ＰＡＬ方式のビデオ信号をＭＰＥＧ規格に従って圧縮したものである。ＮＴＳＣ方式のビデオ信号を圧縮した複数のピクチャデータは、約３３ｍｓｅｃ（正確には１／２９．９７ｓｅｃ）のフレーム周期を有するビデオフレームにて表示され、ＰＡＬ方式のビデオ信号を圧縮した複数のピクチャデータは、４０ｍｓｅｃのフレーム周期を有するビデオフレームにて表示される。
【００２１】
図６の最上段は、ビデオフレームの一例を示している。図において”＜”記号、”＞”記号の一組で特定される区間はビデオフレームを示している。ビデオフレームにおいて”＜”記号は、そのビデオフレームの再生開始時刻（Ｐｒｅｓｅｎｔａｔｉｏｎ  Ｓｔａｒｔ  Ｔｉｍｅ）を示し、”＞”記号は、ビデオフレーム再生終了時刻（Ｐｒｅｓｅｎｔａｔｉｏｎ  Ｅｎｄ  Ｔｉｍｅ）を示している（以降、ビデオフレームは、このような標記を持って図示する）。また、これらの記号により特定される閉区間には、複数のビデオフィールドが含まれている。ＭＰＥＧ規格に従った圧縮とは、一フレーム分の画像内での空間周波数特性と、過去および未来に再生されるべき画像との時間相関特性とを用いた圧縮であり、この圧縮を経ることにより、各ピクチャデータは、過去方向および未来方向に再生されるべき画像との時間相関特性を用いて圧縮されているＢｉｄｉｒｅｃｔｉｏｎａｌｌｙ  ｐｒｅｄｉｒｅｃｔｉｖｅ（Ｂ）ピクチャ、過去方向に再生されるべき画像との時間相関特性を用いて圧縮されているＰｒｅｄｉｒｅｃｔｉｖｅ（Ｐ）ピクチャ、時間相関特性を用いず、一フレーム分の画像内での空間周波数特性を利用して圧縮されているＩｎｔｒａ（Ｉ）ピクチャのうち何れかに変換される。
【００２２】
図７は、ＶＯＢの構成を段階的に詳細化した図である。本図において１段目に位置するビデオストリームは、その２段目に示すように複数のＧＯＰからなる。ビデオストリームは、２ＫＢｙｔｅ単位に複数に分割される。一方、１段目の右側に位置するオーディオストリームは、３段目に示すように約２ＫＢｙｔｅ単位に複数に分割される。２ＫＢｙｔｅに分割されたビデオストリームは、約２ＫＢｙｔｅ単位に分割されたオーディオストリームとインターリーブ多重化されて、４段目に示すパック列を形成している。このようなパック列は、５段目に示す複数のＶＯＢＵ（Ｖｉｄｅｏ  Ｏｂｊｅｃｔ  Ｕｎｉｔ）を形成しており、６段目に示すＶＯＢは複数のＶＯＢＵが時系列に配列された構成を持つことがわかる。本図における破線に示す引き出し線は、下段の論理フォーマットがその上段の論理フォーマット内のどの部分を詳細化したかを明確にしている。この表記に基づいて図中の破線を参照すると、５段目におけるＶＯＢＵは、４段目に示したパック列に対応しており、更に２段目に示すＧＯＰ単位のピクチャデータに対応している。
【００２３】
破線に示した対応関係からも明らかなように、ＶＯＢＵとは、その再生時間が約０．４秒〜１．０秒となるピクチャデータからなる少なくとも１つ以上のＧＯＰと、このピクチャデータと共に多重化されているオーディオデータを含む単位であり、ＭＰＥＧ規格におけるビデオパック―オーディオパックを配列して構成されていることがわかる。ＭＰＥＧ規格においてＧＯＰという単位はシステム層で定義されているものであるが、ＧＯＰにより指示されるのは図７の２段目に示すようにビデオデータのみであり、これと多重化されているオーディオデータや他のデータ（副映像データや制御データ等がある。）はＧＯＰでは指示されない。これを補間する狙いで、ＤＶＤ−ＲＡＭ規格では、ＧＯＰに相当する単位としてＶＯＢＵを設け、その再生時間が約０．４秒〜１．０秒となるピクチャデータからなる少なくとも１つ以上のＧＯＰと、このピクチャデータと共に多重化されているオーディオデータとをひとまとまりに称呼できるようにしている。
【００２４】
続いて、ＶＲ＿ＭＡＮＧＲ．ＩＦＯについて説明する。尚、以降の説明において、ＶＩＤＥＯ  ＲＥＣＯＲＤＩＮＧ規格に規定されている情報については、説明の簡略化をはかるため、各情報要素のフルスペルを記載するのではなく、ＶＩＤＥＯ  ＲＥＣＯＲＤＩＮＧ規格における略語でそれらの情報要素を指示するものとする。
【００２５】
図８は、ＶＲ＿ＭＡＮＧＲ．ＩＦＯの構成を示す図である。本図においてＶＲ＿ＭＡＮＧＲ．ＩＦＯは、参照符号ｙ１で指示されているように、ディスク全体の管理情報を保持する「ＲＴＲ＿ＶＭＧＩ」、ＶＯＢの属性情報や、記録してあるＶＯＢへの物理アドレスを保持する「Ｍ＿ＡＶＦＩＴ」、静止画ＶＯＢの属性情報や、記録してある静止画ＶＯＢへの物理アドレスを保持する「Ｓ＿ＡＶＦＩＴ」、録画した番組情報を管理する「ＯＲＧ＿ＰＧＣＩ」、ユーザ指定の再生順を指定する情報を管理する「ＵＤ＿ＰＧＣＩＴ」、ＯＲＧ＿ＰＧＣＩや、ＵＤ＿ＰＧＣＩＴの拡張テキスト情報を管理する「ＴＸＴＤＴ＿ＭＧ」、録画したメーカ情報を記録する「ＭＡＮＦＩＴ」からなるが、本実施例で利用する、「ＯＲＧ＿
ＰＧＣＩ」と「ＴＸＴＤＴ＿ＭＧ」について説明する。
「ＯＲＧ＿ＰＧＣＩ」は、参照符号ｙ２で指示されているように、「ＰＧＩ＃１、＃２、・・＃ｎ」と、「ＣＩ（Ｃｅｌｌ情報）＃１、＃２、・・＃ｎ」とからなる。「ＯＲＧ＿ＰＧＣＩ」のＰＧ情報は、放送番組の録画単位に対応する情報であり、参照符号ｙ３で指示されているように、ＰＧの保護（プロテクト）状態を意味する「ＰＧ＿ＴＹ」と、そのＰＧに含まれるセル情報の数「Ｃ＿Ｎｓ」と、参照記号ｙ４で指示されているようにＰＧに対応するプログラム名の記述に利用されているテキスト情報を記述するために確保されている「ＰＲＭ＿ＴＸＴＩ（プライマリテキスト領域）」と、ＰＧに対応するテキスト情報の記述に、拡張領域が求められる場合、その拡張領域へのポインタを示す「ＩＴ＿ＴＸＴ＿ＳＲＰＮ」
とからなる。
【００２６】
「ＴＸＴＤＴ＿ＭＧ」は、参照記号ｙ５で指示されているように、「ＴＸＴＤＴＩ」、「ＩＴ＿ＴＸＴ＿ＳＲＰ＃１、ＩＴ＿ＴＸＴ＿ＳＲＰ＃２、・・＃ｎ」と「ＩＴ＿ＴＸＴ」からなる。「ＴＸＴＤＴＩ」は、参照記号ｙ６で指示されているように、情報を記述するための文字コードである「ＣＨＲＳ」とＩＴ＿ＴＸＴ情報の数「ＩＴ＿ＴＸＴ＿ＳＲＰ＿Ｎｓ」と、ＩＴ＿ＴＸＴ情報の終了アドレスである「ＴＸＴＤＴ＿ＭＧ＿ＥＡ」と、参照記号ｙ７で指示されているように、個々のＩＴ＿ＴＸＴ＿ＳＲＰの読み出し開始アドレスを表す、「ＩＴ＿ＴＸＴ＿ＳＡ」と、そのサイズを表す「ＩＴ＿ＴＸＴ＿ＳＺ」と、参照記号ｙ８で指示されているように、ＩＴ＿ＴＸＴのジャンルコードを表す「ＩＤＣＤ」と、ＩＴ＿
ＴＸＴのサイズを表す「ＴＸＴ＿ＳＺ」と、ＩＴ＿ＴＸＴの実際の内容が記述してある「ＴＸＴ」からなる。
【００２７】
続いて、上述したようなフォーマットのデータをＤＶＤ−ＲＡＭに記録するＤＶＤ−ＲＡＭホームシアターについて説明する。図１は、ＤＶＤ−ＲＡＭホームシアターの構成を示す図である。本図に示すようにＤＶＤ−ＲＡＭホームシアターは、ディスクアクセス部１、トラックバッファ２、ユーザインターフェース部３、ＤＳＰ設定部４、再生制御部５、録画制御部６、システム制御部７、エンコーダ８、デコーダ９、チューナ１０、ＤＳＰ１１により構成される。このうち、ユーザインターフェース部３、ＤＳＰ設定部４、再生制御部５、録画制御部６、エンコーダ８、デコーダ９、チューナ１０、ＤＳＰ１１は、ＲＯＭに格納されたプログラムをＣＰＵが実行することにより、実現される機能的な構成要素である。尚、ＣＰＵと、ＲＯＭと、ＲＡＭを有し、ＤＶＤ−ＲＡＭホームシアターの統
合制御を行う構成要素をシステム制御部７といい、図１では、上述した機能的な構成要素を、このシステム制御部７に包含して示している。
【００２８】
また、本ＤＶＤ−ＲＡＭホームシアターは、ＤＶＤ−ＲＡＭについての記録装置としての機能と、ＤＶＤ−ＲＡＭについての再生装置についての機能とを併せ持つものであり、構成要素は、記録装置としての機能を実現する録画系統と、再生装置としての機能を実現する再生系統の何れかに大別される。ディスクアクセス部１は、システム制御部７の制御に従い、ＤＶＤ−ＲＡＭをアクセスする。より詳しくは、システム制御部７によりＤＶＤ−ＲＡＭへの記録が指示され、エンコーダ８からエンコードされたＶＯＢが準じ出力されてきた場合、ディスクアクセス部１は、出力されたＶＯＢをトラックバッファ２に格納して、順次ＤＶＤ−ＲＡＭに記録するようにディスクアクセス部を制御する。
【００２９】
一方、システム制御部７によりＤＶＤ−ＲＡＭの読み出しが指示された場合、ＤＶＤ−ＲＡＭからＶＯＢを順次読み出すよう、ディスクアクセス部１を制御し、読み出されたＶＯＢをトラックバッファ２に格納する。トラックバッファ２は、ＤＶＤ−ＲＡＭと、ディスクアクセス部１と、エンコーダ８又はデコーダ９との入出力を行うために設けられたバッファである。
【００３０】
図１０（ａ）は、ＤＶＤ−ＲＡＭ上に離散配置されているＶＯＢを示す図である。一般的にＤＶＤ−ＲＡＭ上のデータは、離散して記録されることがある。図１０（ａ）に示すようにＶＯＢ＃１と、ＶＯＢ＃２が連続領域［ａ１、ａ２］と連続領域［ａ３，ａ４］に別かれて記録されている場合、ＶＯＢ＃１とＶＯＢ＃２を連続して再生する場合、光ピックアップは記録位置ａ２から記録位置ａ３へとシークを行わねばならい。こうしたシーク動作を行っている間、トラックバッファ２に蓄積してあるデータをデコーダ９へ供給することによりＶＯＢ＃１、ＶＯＢ＃２に対応するＶＯＢを連続的に再生することができる。
【００３１】
この時の状態を示すのが図１０（ｂ）である。記録位置ａ１においてＤＶＤ−ＲＡＭからの読み出しが開始されると、時刻ｔ１においてトラックバッファ２からの出力が開始される。ここでトラックバッファ２における蓄積速度は、トラックバッファ２への入力レート（Ｖａ）とトラックバッファ２からの出力レート（Ｖｂ）のレート差（ＶａーＶｂ）に等しい。
【００３２】
光ピックアップが記録位置ａ２（時刻ｔ２）に達するまで、レート差（Ｖａ−Ｖｂ）によるトラックバッファ２の蓄積は継続する。光ピックアップが記録位置ａ２に達した場合、光ピックアップは記録位置ａ２から記録位置ａ３へとシークを行わねばならい。
【００３３】
トラックバッファ２にデータ量Ｂ（ｔ２）が蓄積されているとすると、シーク動作が行われている間、蓄積量Ｂ（ｔ２）のデータをデコーダ９へ供給し続けられれば良い。言い方を変えれば、シーク前に読み出すデータ量（［ａ１，ａ２］）が一定量以上確保されていれば、シークが発生した場合でも、ＶＯＢに含まれるデータを連続供給することができる。これにより、ＤＶＤ−ＲＡＭ上に離散配置されているＶＯＢが連続して読み出されることとなる。
【００３４】
上述したように、ＤＶＤ−ＲＡＭレコーダ内にトラックバッファ２が備えられているので、ＶＲ＿ＭＯＶＩＥ．ＶＲＯに格納されている複数のＶＯＢのうち、任意のものを、連続的に再生することができる。以上でトラックバッファ２についての説明を終える。
【００３５】
続いてユーザインターフェース部３以降の構成要素について説明する。ユーザインターフェース部３は、リモコンやＤＶＤ−ＲＡＭホームシアターのフロントパネルに対してなされたユーザ操作を受け付ける。音響効果の設定は、図１１に示すようなメニュー表示を行い、メニューを通じて、操作者がリモコンによりカーソルの上下左右の移動を行い、目的のＤＳＰモードを選択し、決定することで音響効果の設定することが可能となる。また、リモコンや、フロントパネルに取り付けられたボタンを通じて設定することも可能としている。
【００３６】
ＤＳＰ設定部４では、録画時は、設定された音響効果情報をＤＳＰ１１に指示することと、ディスクアクセス部１に指示を出し、ＤＶＤ−ＲＡＭディスク上に音響効果情報の書き込みを指示する。また、ＤＳＰ設定部４は、再生時は、ディスクアクセス部１へＤＶＤ−ＲＡＭディスク上に記録された音響効果情報の読み出しを指示し、読み出された音響効果情報をＤＳＰ１１に指示する。チューナ１０は、放送波の復調を開始することにより、放送信号を得る。復調によって得られた映像信号をエンコーダ９に出力する。また、チューナ１０は、音声信号をＤＳＰ１１へ出力し、視聴者は、音響効果の効いた音声信号を聞くことが可能となる。以降、ＤＶＤホームシアターの録画系統について説明する。ＤＶＤ−ＲＡＭホームシアターの録画系統は、エンコーダ８、録画制御部６、ユーザインターフェース部３からなる。録画制御部６は、ユーザインターフェース部３から、録画の指示があると、エンコーダ８へ録画の指示をする。エンコーダ８は、チューナ１０から出力される映像信号をＩＳＯ／ＩＥＣ１３８１８−１規格準拠のプログラムストリームにエンコードして、ＶＯＢを生成する。エンコーダ８で生成されたＶＯＢは、トラックバッファ２、ディスクアクセス部１を通じて、ＤＶＤ−ＲＡＭへ記録される。また、録画制御部６の指示により、録画を行うと、システム制御部７はＶＩＤＥＯ  ＲＥＣＯＲＤＩＮＧ規格の管理情報である、ＶＲ＿ＭＡＮＧＲ．ＩＦＯデータ作成する。前記、ＶＲ＿ＭＡＮＧＲ．ＩＦＯデータは、録画制御部６が録画停止をした後、システム制御部７がディスクアクセス部１に指示し、ＤＶＤ−ＲＡＭに記憶される。
【００３７】
図９は、ＰＧ情報と、ＩＴ＿ＴＸＴの関係を示した図である。録画が実行されると、システム制御部７は、ＶＲ＿ＭＡＮＧＲ．ＩＦＯデータを生成する。このとき、番組毎の管理情報であるＰＧ情報と、拡張テキスト情報のＩＴ＿ＴＸＴを生成する。まず、ＰＧ情報の中に、「ＩＴ＿ＴＸＴ＿ＳＲＰ」と呼ばれるＩＴ＿ＴＸＴへのポインタ情報が記録される。ＩＴ＿ＴＸＴ＿ＳＲＰＮで指定されるＩＴ＿ＴＸＴ＿ＳＲＰを参照する。その中の「ＩＴ＿ＴＸＴ＿ＳＡ」は、「ＴＸＴＤＴ＿ＭＧ」からの相対アドレスとして記述されており、目的とするＩＴ＿ＴＸＴへのアクセスを可能としている。また、「ＩＴ＿ＴＸＴ＿ＳＺ」によって、ＰＧ情報が指しているＩＴ＿ＴＸＴの情報が、「ＩＴ＿ＴＸＴ＿ＳＡ」から何バイト記述されているかわかる。
【００３８】
ＩＴ＿ＴＸＴには、ジャンル情報を表す「ＩＤＣＤ」と、ＩＴ＿ＴＸＴのサイズ（バイト数）を示す「ＴＸＴ＿ＳＺ」、実際のテキストデータが書かれた「ＴＸＴ」が記述する。
【００３９】
最後に、一つのＩＴ＿ＴＸＴ＿ＳＲＰが指すＩＴ＿ＴＸＴは、「ＩＴ＿ＴＸＴ＿ＳＡ」から、「ＩＴ＿ＴＸＴ＿ＳＺ」の範囲の情報で、一つ以上のＩＴ＿ＴＸＴを指すことが可能であることに注意されたい。
【００４０】
図１１は、録画系統の制御手順を示したフローチャートである。以降本フローチャートを参照しながら説明する。ステップＳ１において、録画制御部６は、録画操作がなされることにより、または、予約録画時刻が到来することにより、録画処理が開始されるのを待つ。録画処理が開始されると、ステップＳ２において、ＰＧ情報とＩＴ＿ＴＸＴを生成する。その後、ステップＳ３においては、エンコーダ８によって生成されるＶＯＢのＤＶＤ−ＲＡＭへの記録を開始する。ステップＳ４では、録画中に、操作者による音響効果の設定があれば、ステップＳ５で、新規にＤＳＰの設定がされたかどうか判定し、新規であればステップＳ６で「ＩＴ＿ＴＸＴ」にＤＳＰ情報を記録する。すでに設定してある場合は、ステップＳ７によって、ＩＴ＿ＴＸＴに記録されているＤＳＰ設定値を破棄し、新たにＤＳＰ設定値を記録する。また、ステップＳ８では、録画停止操作、または、予約録画終了時刻が到来したかどうか判定し、未であれば、ステップＳ３へ戻り録画を継続する。操作がされた場合は、ステップＳ９で、ＶＲ＿ＭＡＮＧＲ．ＩＦＯデータをＤＶＤ−ＲＡＭへ書き込みを行い、録画を終了する。
【００４１】
続いて、ＤＶＤ−ＲＡＭホームシアターの再生系統について説明する。ＤＶＤ−ＲＡＭホームシアターの再生系統は、デコーダ９再生制御部、ユーザインターフェース部３からなる。デコーダ９は、ディスクアクセス部１によって、ＤＶＤ−ＲＡＭから読み出され、トラックバッファ２からＶＯＢが出力されると、出力されたＶＯＢをデコードすることによりデジタル非圧縮型の映像信号と、音声信号を得て、映像信号は、テレビ受像機に出力し、音声信号は、ＤＳＰ１１を通じて、スピーカに出力される。再生制御部９は、ＤＶＤ−ＲＡＭから読み出されたＶＲ＿ＭＡＮＧＲ．ＩＦＯ情報から、再生を行うプログラムＰＧ情報を得る。また、ＰＧ情報が指すＩＴ＿ＴＸＴ情報の中に、ＤＳＰの設定が記述されたＩＴ＿ＴＸＴ情報があれば、ＤＳＰ設定部４がＤＳＰ１１に対して、音響効果の設定を行う。操作者は、録画時に設定した音響効果の情報を再度設定する必要なく得る事ができ、再生時の音響効果の設定が自動で行われる。また、操作者が視聴中に音響効果の設定を変更したい場合は、メニューもしくは、録画時と同様にフロントパネルやリモコンのボタンを通じて、音響効果の設定を行うことも可能である。
【００４２】
図１２は、再生系統の制御手順を示したフローチャートである。以降本フローチャートを参照しながら再生時の処理の流れを説明する。ステップＳ２１において、再生操作がなされることにより再生処理が開始されるのを待つ。再生処理が行われると、ステップＳ２２において、ＤＶＤ−ＲＡＭディスクから、ＶＲ＿ＭＡＮＧＲ．ＩＦＯファイルの読み出しを行い、すべてのＰＧ情報と、ＩＴ＿ＴＸＴ情報を読み出す。その後、ユーザが再生すべきＰＧを決定する。ステップＳ２３では、再生すべきＰＧ情報を得て、ＰＧ情報の中に、ＩＴ＿ＴＸＴ＿ＳＲＰＮが記述されているか判断し、記述されている場合は、次にステップＳ２５で、ＰＧ情報から参照されているＩＴ＿ＴＸＴにＤＳＰ情報が記録されているか確認する。ＤＳＰ情報が設定されている場合は、ステップＳ２６で、ＤＳＰ部へ、ＤＳＰ情報の設定を行う。上記処理が終わった後、ステップＳ２７で再生すべきＰＧの再生を開始する。ステップＳ２８では、再生中にユーザからＤＳＰの設定値の変更があった場合、ステップＳ２９で、ＤＳＰ部へＤＳＰ情報の設定を行う。ステップＳ３０で再生すべきＰＧの再生が終了した場合は再生を終わる。また、再生中に、ＤＳＰの設定が変更された場合は、適切なＩＴ＿ＴＸＴにＤＳＰの設定が記憶され、次の録画時、または、ディスクを取り出す直前にディスク上のＩＴ＿ＴＸＴデータが上書きされる。このように録画時、再生時において、ＰＧ情報が指しているＩＴ＿ＴＸＴ情報に音響効果情報を記録しておけば、スポーツや、音楽といったジャンルが異なる番組を再生するときも、音響効果の設定を操作者が変更することなしに、必要な音響効果を得ることが可能となる。
【００４３】
図１４は、本発明によって、どのように音響効果情報が利用されるかを示した例である。このように「ＩＴ＿ＴＸＴ」を利用することにより、番組毎に音響効果を変化させて記録媒体上に記録しておくことが可能となる。
【００４４】
（実施の形態２）
第２の実施の形態として、ＰＧごとの番組名を記録するＰＲＭ＿ＴＸＴ情報を利用した実施例について説明する。図１５は、ＰＧ情報と、ＰＧ情報に付属する番組名を記述するための「ＰＲＭ＿ＴＸＴ」の関係を示した図である。録画が実行されると、システム制御部７は、ＶＲ＿ＭＡＮＧＲ．ＩＦＯデータを生成する。このとき、番組毎の管理情報のＰＧ情報と、その番組名を記録しておく「ＰＲＭ＿ＴＸＴ」を生成する。「ＰＲＭ＿ＴＸＴ」は、録画した番組単位に存在し、英数字の番組名を記述する「ＡＳＣＩＩ」領域と、２バイト文字の番組名を記述するための「ＯＴＨＥＲ］領域から構成されている。また、「ＰＲＭ＿ＴＸＴ」は、ＡＳＣＩＩ領域、ＯＴＨＥＲ領域それぞれ６４バイトの領域が確保しており、合計１２８バイトの文字列を番組情報として記録することが可能である。通常、「ＰＲＭ＿ＴＸＴ」のＡＳＣＩＩ領域とＯＴＨＥＲ領域は、番組情報を記録するために使われるが、音響効果設定を記録するために、本発明では片方の領域を使用する。
【００４５】
図１５のように、ＡＳＣＩＩ領域に、音響効果情報を記録し、ＯＴＨＥＲ領域に番組名を記録するように利用すると、実施の形態１のように、音響効果情報を番組毎に記録することが可能となる。なお、第１と第２の実施形態では、ＤＶＤ−ＲＡＭディスクを用いたＤＶＤ−ＲＡＭホームシアターを例にとって説明したが、ほかの記録媒体を用いた記録再生装置であっても、本発明は同様に適用可能である。
【産業上の利用可能性】
【００４６】
本発明にかかる記録再生装置は、記録媒体上に記録された番組の再生を行う場合、音響効果情報の設定を番組が変わる毎に手動により変更することなく、ユーザに提供することが必要な用途にも適用できる。
【図面の簡単な説明】
【００４７】
【図１】本発明に係る記録再生装置の一例としてのＤＶＤ−ＲＡＭホームシアター装置のシステム構成を示す図
【図２】本発明の実施形態における記録可能な光ディスクであるＤＶＤ−ＲＡＭディスクの概観を示す図
【図３】光ディスク上のデータの記録領域を表した図
【図４】ファイルシステムを通じて識別されるディスク上のデータを示す図
【図５】ＶＲ＿ＭＯＶＩＥ．ＶＲＯファイルの構成を示す図
【図６】表示順序に配置された複数のピクチャデータと、符号化順序に配置された複数のピクチャデータを示す図
【図７】ＶＯＢデータ構造の論理的フォーマットを段階的に詳細化した図
【図８】ＶＲ＿ＭＡＮＧＲ．ＩＦＯファイルの構成を示す図
【図９】ＰＧＩとＩＴ＿ＴＸＴの関係を示した図
【図１０】ＤＶＤ−ＲＡＭ上に離散配置されているＶＯＢを示す図と、トラックバッファ２の蓄積状態の経時変化を示す図
【図１１】ＤＳＰ設定を切り替える操作を受け付けるためのメニュー画面の例を示す図
【図１２】録画時の処理手順を詳細に示したフローチャート
【図１３】再生時の処理手順を詳細に示したフローチャート
【図１４】番組ごとに管理されている音声情報メニューの例を示す図
【図１５】ＰＧＩとＰＲＭ＿ＴＸＴの関係を示した図
【符号の説明】
【００４８】
１    ディスクアクセス部
２    トラックバッファ
３    ユーザインターフェース部
４    ＤＳＰ設定部
５    再生制御部
６    録画制御部
７    システム制御部
８    エンコーダ
９    デコーダ
１０    チューナ
１１    ＤＳＰ部
【図１】
2006164467.tif 000003
【図２】
2006164467.tif 000004
【図３】
2006164467.tif 000005
【図４】
2006164467.tif 000006
【図５】
2006164467.tif 000007
【図６】
2006164467.tif 000008
【図７】
2006164467.tif 000009
【図８】
2006164467.tif 000010
【図９】
2006164467.tif 000011
【図１０】
2006164467.tif 000012
【図１１】
2006164467.tif 000013
【図１２】
2006164467.tif 000014
【図１３】
2006164467.tif 000015
【図１４】
2006164467.tif 000016
【図１５】
2006164467.tif 000017